(57)【要約】      （修正有）【課題】片手で持ったときに安定感があるように蓋部内面の中央にベルト部を形成すると共に、蓋部が完全に開いた状態で安定して保持できるタブレットケースを提供する。【解決手段】タブレットを収納する収納部１と、タブレット正面を覆う蓋部２と、収納部と蓋部を開閉可能に接続する接続部４とを備え、蓋部の内面中央にベルト部３が形成され、ベルト部と接続部との間に折り曲げ部２ａが形成され、接続部に接続しない側の蓋部の角部に、収納部を固定するバンド部が設けられる。また、接続部が接続していない蓋部の他方の長辺に折り曲げ可能な突出部２ｄを形成し、収納部の外側面にこの突出部を挿入する挿入ベルト部が形成されている。【選択図】図１
0003188952.tif 000002
【実用新案登録請求の範囲】
【請求項１】
タブレットの背面に接触し、当該タブレットを収納する収納部と、
前記タブレットの正面を覆う蓋部と、
前記収納部の一方の長辺と前記蓋部の一方の長辺を接続し、前記蓋部を開閉する接続部とを有するタブレットケースであって、
前記蓋部の内面中央にベルト部が形成され、
前記蓋部において前記ベルト部と前記接続部との間に折り曲げ部が形成され、
前記接続部に接続しない側の前記蓋部の角部に、前記収納部を固定するバンド部が設けられていることを特徴とするタブレットケース。
【請求項２】
接続部が接続していない蓋部の他方の長辺に折り曲げ可能な突出部を形成し、
収納部の外側面に前記突出部が挿入される挿入ベルト部を形成したことを特徴とする請求項１記載のタブレットケース。
【請求項３】
折り曲げ部と接続部との間の蓋部の厚みを、ベルト部が形成された蓋部の厚みより厚くしたことを特徴とする請求項１又は２記載のタブレットケース。
【請求項４】
ベルト部が形成された蓋部の厚みを、蓋部における他の厚みより薄くしたことを特徴とする請求項１又は２記載のタブレットケース。
【考案の詳細な説明】
【技術分野】
【０００１】
本考案は、携帯端末等のタブレットを収納するタブレットケースに係り、特に、蓋部の内面中央にベルト部を形成して、蓋部を開いた状態で安定して保持できるタブレットケースに関する。
【背景技術】
【０００２】
［先行技術の説明］
従来のタブレットケースは、タブレットを収納する収納部と、タブレットの画面を保護する蓋部と、収納部と蓋部を連結して蓋部を開閉する接続部を備えるものがある。
更に、タブレットケースを片手で持った場合に、落下防止のために、収納部の外側面にベルトを形成したものがある（下記の特許文献１）。
【０００３】
［関連技術］
尚、関連する先行技術としては、実用新案登録第３１８１７６７号公報「情報端末カバー」（株式会社レイメイ藤井）［特許文献１］、特開２０１１−２５４０４３号公報「キャリングケース」（ＪＢ  ＴＲＵＳＴ株式会社）［特許文献２］がある。
【０００４】
特許文献１には、情報端末カバーにおいて、見開き構造で、中央側から情報端末を挿入する収納部の外側面の端部にゴムバンドを取り付けた構造であり、そのゴムバンドが蓋部を閉じた状態で蓋部を固定できることが記載されている。
【０００５】
特許文献２には、キャリングケースにおいて、装着本体部の外側面に手又は腕が挿入されるアーム部を備えることが記載されている。
【先行技術文献】
【特許文献】
【０００６】
【特許文献１】実用新案登録第３１８１７６７号公報
【特許文献２】特開２０１１−２５４０４３号公報
【考案の概要】
【考案が解決しようとする課題】
【０００７】
しかしながら、従来のタブレットケースでは、片手でタブレットを持った場合に最も安定させるには、蓋部内面の中央にベルト部が形成されるのが望ましいが、蓋部外面が収納部裏面に接触するほど開いた場合に、収納部と蓋部を固定する構造がなければ、収納部と蓋部との間に隙間ができて、安定しないという問題点があった。
【０００８】
尚、特許文献１では、ゴムバンドが蓋部の固定と手の挿入の両方を実現するためには、ゴムバンドは収納部の端部側に形成される必要があり、片手で持ったときに安定感があるように蓋部内面の中央にベルト部を形成するものではない。
特許文献２は、構造が複雑であり、タブレットを収納するものではない。
【０００９】
本考案は上記実状に鑑みて為されたもので、片手で持ったときに安定感があるように蓋部内面の中央にベルト部を形成すると共に、蓋部が完全に開いた状態で安定して保持できるタブレットケースを提供することを目的とする。
【課題を解決するための手段】
【００１０】
上記従来例の問題点を解決するための本考案は、タブレットの背面に接触し、当該タブレットを収納する収納部と、タブレットの正面を覆う蓋部と、収納部の一方の長辺と蓋部の一方の長辺を接続し、蓋部を開閉する接続部とを有するタブレットケースであって、蓋部の内面中央にベルト部が形成され、蓋部においてベルト部と接続部との間に折り曲げ部が形成され、接続部に接続しない側の蓋部の角部に、収納部を固定するバンド部が設けられていることを特徴とする。
【００１１】
本考案は、上記タブレットケースにおいて、接続部が接続していない蓋部の他方の長辺に折り曲げ可能な突出部を形成し、収納部の外側面に突出部が挿入される挿入ベルト部を形成したことを特徴とする。
【００１２】
本考案は、上記タブレットケースにおいて、折り曲げ部と接続部との間の蓋部の厚みを、ベルト部が形成された蓋部の厚みより厚くしたことを特徴とする。
【００１３】
本考案は、上記タブレットケースにおいて、ベルト部が形成された蓋部の厚みを、蓋部における他の厚みより薄くしたことを特徴とする。
【考案の効果】
【００１４】
本考案によれば、タブレットの背面に接触し、当該タブレットを収納する収納部と、タブレットの正面を覆う蓋部と、収納部の一方の長辺と蓋部の一方の長辺を接続し、蓋部を開閉する接続部とを有するタブレットケースであって、蓋部の内面中央にベルト部が形成され、蓋部においてベルト部と接続部との間に折り曲げ部が形成され、接続部に接続しない側の蓋部の角部に、収納部を固定するバンド部が設けられているタブレットケースとしているので、片手で持ったときに安定感があり、蓋部が完全に開いた状態で安定して保持できる効果がある。
【図面の簡単な説明】
【００１５】
【図１】本タブレットケースの正面図である。
【図２】本タブレットケースの背面図である。
【図３】本タブレットケースの断面説明図である。
【考案を実施するための形態】
【００１６】
本考案の実施の形態について図面を参照しながら説明する。
［実施の形態の概要］
本考案の実施の形態に係るタブレットケースは、タブレットを収納する収納部と、タブレット正面を覆う蓋部と、収納部と蓋部を開閉可能に接続する接続部とを備え、蓋部の内面中央にベルト部が形成され、ベルト部と接続部との間に折り曲げ部が形成され、接続部に接続しない側の蓋部の角部に、収納部を固定するバンド部を設けたものであり、片手で持ったときに安定感があるように蓋部内面の中央にベルト部が形成されると共に、蓋部が完全に開いた状態で、バンド部で収納部に蓋部を固定できるので、安定して保持できるものである。
【００１７】
［本タブレットケース：図１，２，３］
本考案の実施の形態に係るタブレットケース（本タブレットケース）について図１，２，３を参照しながら説明する。図１は、本タブレットケースの正面図であり、図２は、本タブレットケースの背面図であり、図３は、本タブレットケースの断面説明図である。
本タブレットケースは、図１，２，３に示すように、タブレットの収納部１と、蓋部２と、ベルト部３と、接続部４とを基本的に備えている。
【００１８】
［本タブレットケースの各部］
本タブレットケースにおける各部を説明する。
［収納部１］
収納部１は、タブレットを収納するもので、タブレットの背面及び側面を覆うポリカーボネートのハードシェルで構成され、外側面は革、合成皮革又は再生皮革が貼り合わされ、内側面はタブレットを傷付けない柔らかい生地が貼られている。
【００１９】
また、収納部１には、タブレットのカメラ用のカメラホール１ａ、ボタン用のボタンホール１ｂ、その他必要な箇所に切り欠きが設けられている。
また、収納部１は、図２に示すように、外側面の長辺に沿って少し内側の中央に小型のベルト部（挿入ベルト部）１ｃが形成されている。この挿入ベルト部１ｃも革、合成皮革又は再生皮革で構成されている。
【００２０】
［蓋部２］
蓋部２は、ベルト部３と接続部４との間に折り曲げ部２ａが形成されている。
具体的には、折り曲げ部２ａは、ベルト部３の長手方向の端辺に平行に隣接して設けられている。
そして、折り曲げ部２ａから接続部４に接する端部までが第１の蓋面２ｂを構成し、折り曲げ部２ａから接続部４とは反対側の端部までが第２の蓋面２ｃを構成している。
折り曲げ部２ａによって、第１の蓋面２ｂと第２の蓋面２ｃが折り曲がるようになっている。
ここで、第１の蓋面２ｂの厚みを、例えば３ｍｍとすると、第２の蓋面２ｃの厚みは、第１の蓋部２ｂの厚みと同じになるよう構成されている。
【００２１】
また、第２の蓋面２ｃの端部には、ベルト部３の長手方向に直交して突出部２ｄが形成されている。突出部２ｄは、第２の蓋面２ｃと一体に形成されている。
そして、突出部２ｄは、蓋部２と収納部１とを留めるために、収納部１の外側面に形成された挿入ベルト部１ｃの隙間に挿入されるものである。
尚、蓋部２は、内部に厚紙等の心材が挿入され、その外側面が本革、合成皮革又は再生皮革で形成され、内側面がタブレットの画面を傷付けない柔らかい生地で形成されている、
尚、折り曲げ部２ａと突出部２ｄには心材は形成されていない。
【００２２】
更に、図２に示すように、蓋部２の突出部２ｄが形成される端部（接続部４に接続していない端部）の角部には、ゴム製のバンド部２ｅが２箇所形成されている。
バンド部２ｅは、蓋部２の角部で斜め方向に形成され、その端部が蓋部２に固定されている。
バンド部２ｅは、蓋部２の外側面が収納部１の裏面に接触するまで開かれた場合（完全に開かれた場合）に、伸縮して、収納部１の対応する角部を留める（固定する）ことができるようになっている。
【００２３】
［ベルト部３］
ベルト部３は、図１に示すように、蓋部２の内側であって中央に縦方向に、第２の蓋面２ｃ上に形成されている。
ベルト部３は、蓋部２の短辺の約１／３程度の幅で、蓋部２の両短辺の端部で固定されている。
尚、ベルト部３は、蓋部２における一方の短辺の端部から他方の短辺の端部まで縦方向に形成されているが、当該縦方向の一部に形成されるようにしてもよい。例えば、縦方向に対して下側半分にベルト部３を形成したり、中央部に部分的に形成したりしてもよい。
【００２４】
［接続部４］
接続部４は、収納部１と蓋部２とを折り曲げ可能に接続（連結）し、外側面と内側面とが張り合わされた構成となっている。
接続部４の外側面は、収納部１の外側面と一体になっており、収納部１と同じ、本革、合成皮革、再生皮革で形成されている。
接続部４の内側面は、タブレットの画面が傷付かない柔らかい生地で形成されている。
【００２５】
［本タブレットケースの使用方法］
本タブレットケースは、蓋部２が閉じられた状態では、蓋部２の突出部２ｄが収納部１の挿入ベルト部１ｃに挿入された状態であれば、蓋部２が容易に開いてしまうことがない。
タブレットを使用するには、挿入ベルト部１ｃから突出部２ｄを引き出し、蓋部２の内側が外側となるよう３６０度近く蓋部２を開状態とし、ユーザはベルト部３に手を差し込んで本タブレットケースを保持する。
ここで、バンド部２ｅを収納部１の角部に固定する。バンド部２ｅの固定は、一箇所のみでもよい。
また、挿入ベルト部１ｃに突出部２ｄを挿入して安定化してもよい。
【００２６】
［本タブレットケースの応用例］
次に、本タブレットケースの応用例を説明する。
本タブレットケースは、図３に示すように、タブレットが収納部１に収納された状態で、蓋部２を閉じると、蓋部２の内側中央にベルト部３が形成されているため、そのベルト部３の厚みによって中央部が膨らみ、ベルト部３が設けられていない蓋部２の内側に隙間（空間）が発生し、蓋部２が安定して閉じられないことになる。
特に、蓋部２の折曲がり部２ａで折り曲がるため、膨らみが顕著となる。
【００２７】
そこで、蓋部２における第１の蓋面２ｂの厚みを、第２の蓋面２ｃの厚みより厚くし、若しくは、第２の蓋面２ｃの厚みを、第１の蓋面２ｂの厚みより薄くしたものである。
例えば、第２の蓋面２ｃの厚みを３ｍｍとし、ベルト部３の厚みを１ｍｍとすると、第１の蓋面２ｂの厚みを３．３ｍｍ以上で４ｍｍ以下とすることが望ましい。
具体的には、第２の蓋面２ｃの厚みに対して、第１の蓋面２ｂの厚みを約１．１倍以上で約１．５倍以下とするものである。
これにより、蓋部２を閉じた状態で、蓋部２の内側面とタブレット本体の表示画面との間に形成される隙間を小さくでき、安定感を向上できる。
【００２８】
尚、本タブレットケースは、特定のサイズのタブレットに合わせて形成されてものであるが、当該タブレットより小さい形状のタブレット、若しくは当該タブレットより大きい形状のタブレットであっても、本タブレットケースのサイズをそれらタブレットのサイズに合わせて変更することで、適用可能となるものである。
【００２９】
［実施の形態の効果］
本タブレットケースによれば、タブレットを収納する収納部１と、タブレット正面を覆う蓋部２と、収納部１と蓋部２を開閉可能に接続する接続部４とを備え、蓋部２の内面中央にベルト部３が形成され、ベルト部３と接続部４との間に折り曲げ部２ａが形成され、接続部４に接続しない側の蓋部２の角部に、収納部１を固定するバンド部２ｅが設けられるようにしているので、蓋部２の内面中央に形成されたベルト部３によって片手で持ったときに安定感があり、バンド部２ｅで二部２の角部を固定することで蓋部２が完全に開いた状態で安定して保持できる効果がある。
【００３０】
本タブレットケースによれば、タブレットを収納する収納部１と、タブレット正面を覆う蓋部２と、収納部１と蓋部２を開閉可能に接続する接続部４とを備え、蓋部２の内面中央にベルト部３が形成され、ベルト部３と接続部４との間に折り曲げ部２ａが形成され、折り曲げ部２ａと接続部４との間の蓋部（第１の蓋面２ｂ）の厚みを、ベルト部３が形成された蓋部（第２の蓋面２ｃ）の厚みより厚くしたものであり、片手で持ったときに安定感があるように蓋部２内面にベルト部３を形成すると共に、蓋部２を閉じた場合に安定した状態を実現できる効果がある。
【産業上の利用可能性】
【００３１】
本考案は、片手で持ったときに安定感があるように蓋部内面の中央にベルト部を形成すると共に、蓋部が完全に開いた状態で安定して保持できるタブレットケースに適している。
【符号の説明】
【００３２】
１...収納部、１ａ...カメラホール、  １ｂ...ボタンホール、  １ｃ...挿入ベルト部、  ２...蓋部、２ａ...折り曲げ部、  ２ｂ...第１の蓋面、  ２ｃ...第２の蓋面、  ２ｄ...突出部、  ２ｅ...バンド部、  ３...ベルト部、  ４...接続部
【図１】
0003188952.tif 000003
【図２】
0003188952.tif 000004
【図３】
0003188952.tif 000005